(57)【特許請求の範囲】
【請求項１】
刈払機の回転刃用取付け部に装着・緊締可能な形状および寸法に設定した接続部を背面中央に有し、刈払機の回転刃用取付け部に装着して作動可能なように、その外径寸法を１２５ｍｍとした円板体の、同背面とは反対がわを植毛面とするブラシ台を設け、該ブラシ台植毛面には、同植毛面の円形中心寄りで前記接続部よりも外がわ近傍を一端とし、そこから時計回り方向に向けて次第に曲率半径を大きくして略円板体の外周縁に達するようにした他端までが、当該円板体を略一周するよう規制にした仮想渦状曲線上に沿って所定毛丈および所定毛幅にブラシ毛を植設した１条ブラシ毛列か、または、複数条平行ブラシ毛列とするかの何れか一方としてなる同一形状の渦条単位ブラシ毛列の３条を、互いに該植毛面中心回りに位置させる各一端相互を、１２０°の均衡する開き角度をもって周回りに均等位相状配置とすると共に、半径方向に隣接する各渦条単位孔列間に目詰まり防止用の渦線状間隙を所定幅確保してなるものとしたことを特徴とする円板型ブラシ。                                                                                  
【発明の詳細な説明】
【技術分野】
【０００１】
この発明は、ブラシに関するものであり、特に研磨、研削、洗浄、清掃、バリ取り、塗装、ブラッシングなど幅広い多種多様の分野に利用可能であって、回転駆動装置の回転部軸心に垂直な植毛面を有し、該回転部軸心回りに回転可能としてなる円板型ブラシを製造、提供する分野は勿論のこと、その輸送、保管、展示、販売および利用に必要となる設備、器具類を提供、販売する分野から、それら資材や機械器具装置、部品類に必要となる素材、例えば木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わりのある分野、将又、それらの使用の結果やそれを造るための設備、機械器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                    
【背景技術】
【０００２】
（着目点）
建築物のコンクリート製やタイル製などの床面や、エクステリアなどを効率的に洗浄する、所謂フロアポリッシャーなどに用いられる回転ブラシは、一般に、円板型ブラシ台の植毛面に、中心からの仮想放射線状か仮想同心円状に所定ピッチを隔てて複数の植毛孔を穿設するか、または該植毛面の全面に渡って互いに同一の縦横ピッチを隔てて複数の植毛孔を穿設するかの何れかとするなどし、それら何れかの配置とした各植毛孔にブラシ毛を植設するようにしてなるものであり、ブラシの回転方向に一致する同心円状か、同回転方向に直交する方向か、または同回転方向とは関係なく、植毛面全面に対して均等配置となるようブラシ毛を植設してなるものかの何れかとしてあるのが一般的であり、こうした従来型回転ブラシは、ブラシ毛配列の回転ブラシ有効半径範囲内にて、その半径範囲内を通過するブラシ毛数に粗密が発生してしまい、多くのブラシ毛が通過する部分と、さほどブラシ毛が通過しない部分とを生じて、同心円状の接触ムラを残してしまい、研磨や研削、バリ取りなどの加工に用いると同心円状の加工跡が生じ、また、洗浄や清掃では洗浄ムラ、また、塗装作業では塗装ムラなど、様々な作業の品質や安定性を低下させてしまうという欠点を有するものであった。
【０００３】
こうした欠点を解消するには、ブラシ毛を隙間なく植設して接触ムラを無くし、より均質な洗浄を可能とするのが常套の技術として広く採用されてきたが、あまりにも密にブラシ毛を植設すると、作業過程で発生する粉塵や塵埃、洗浄剤、塗料などを巻き込み、ブラシ毛間に目詰まりを生じてしまい、作業能力が大幅に低下してしまい、回転ブラシの洗浄や交換など、反って保守・整備に多大な労力と経費とを要してしまうことになるという欠点を残すものであった。
【０００４】
（従来の技術）
こうした状況を反映し、その打開策となるような提案も、これまでに散見されない訳ではない。
例えば、下記の特許文献１（１）に提案されているものに代表されるように、回転駆動軸から複数に分岐した公転アームの各先端に自転ガイドリングを配し、各自転ガイドリングにブラシを装着し、それら複数個のブラシ夫々が、自転ガイドリングと共に自転すると共に、公転アームによって回転駆動軸回りに公転するものとし、回転駆動軸が低速回転であっても洗浄ムラや異物の再付着を防止できるようにしたものや、同特許文献１（２）に見られるような、ブラシ台植毛面に長尺な１本のチャンネルブラシを渦巻き状に固定し、継ぎ目によるブラシ強度の変化がなく、均一且つ高い強度を維持できるようにしてなるものなどが散見される。
【０００５】
しかし、前者特許文献１（１）に示されているような自転および公転機構を有するブラシ装置類は、ブラシを回転させるために複雑なメカニズムを必要とするため、専用の回転装置が不可欠で、勢い高価なものとなってしまうという難点があり、また、後者特許文献１（２）のように、長尺な１本の渦巻き状ブラシを有するものは、渦巻き帯状に連なる１本のチャンネルブラシが、その渦巻き先端を回転中心に対し、偏心配置としてなることから、洗浄や研磨などを行うようなときに、回転中心を安定的にコントロールするのが難しく、目標となる位置にブラシを誘導し難いという欠点を有するものであった。                            
【特許文献１】（１）特開２００９−１１２８８６号公報    （２）特開２００８−２９５６３３号公報
【発明の概要】
【発明が解決しようとする課題】
【０００６】
（問題意識）
上述したとおり、従前までに提案のある各種ブラシ回転機構や回転ブラシなどは、同心円状の接触ムラの発生を防止できるという利点を有するものの、何れも駆動機構が複雑化して高価なものであり、また、渦巻き帯状に配したチャンネルブラシが、回転中心に対して偏心状の配置となり、操作性に難点を残すものであったが、こうした従前までの課題を解決するだけでなく、製造工程における手作業による植毛作業性を改善し、より効率的に生産可能であり、殊に、福島第１原発事故被災地の除染作業において、多くの人々に使用されることとなったデッキブラシに代わり、それらよりも、できるだけ廉価に提供し、市販されている多くの回転工具類などに、その種類に係わらず容易に装着し得るようにして、誰でも簡便に利用できる回転ブラシを一刻も早い中に提供できるようにし、より効率的且つ迅速に除染を完了できるものとしなければならないと痛感した。
【０００７】
（発明の目的）
そこで、この発明は、複雑な回転駆動機構などを必要とせずに、同心円状の回転接触ムラを無くし、しかもブラシの目詰まりや偏摩耗を防止して回転軸心に対する接触抵抗を均衡化し、回転するブラシの操作、誘導性を改善すると共に、廉価にて効率的に製造可能であり、市販されている多くの回転工具類などに容易に装着して簡便に利用することができる新たな回転ブラシ技術の開発はできないものかとの判断から、逸速くその開発、研究に着手し、長期に渡る試行錯誤と幾多の試作、実験とを繰り返してきた結果、今回、遂に新規な構造の円板型ブラシを実現化することに成功したものであり、以下では、図面に示すこの発明を代表する実施例と共に、その構成を詳述することとする。                          
【課題を解決するための手段】
【０００８】
（発明の構成）
図面に示すこの発明を代表する実施例からも明確に理解されるように、この発明の円板型ブラシは、基本的に次のような構成から成り立っている。
即ち、刈払機の回転刃用取付け部に装着・緊締可能な形状および寸法に設定した接続部を背面中央に有し、刈払機の回転刃用取付け部に装着して作動可能なように、その外径寸法を１２５ｍｍとした円板体の、同背面とは反対がわを植毛面とするブラシ台を設け、該ブラシ台植毛面には、同植毛面の円形中心寄りで前記接続部よりも外がわ近傍を一端とし、そこから時計回り方向に向けて次第に曲率半径を大きくして略円板体の外周縁に達するようにした他端までが、当該円板体を略一周するよう規制にした仮想渦状曲線上に沿って所定毛丈および所定毛幅にブラシ毛を植設した１条ブラシ毛列か、または、複数条平行ブラシ毛列とするかの何れか一方としてなる同一形状の渦条単位ブラシ毛列の３条を、互いに該植毛面中心回りに位置させる各一端相互を、１２０°の均衡する開き角度をもって周回りに均等位相状配置とすると共に、半径方向に隣接する各渦条単位孔列間に目詰まり防止用の渦線状間隙を所定幅確保してなるものとした構成を要旨とする円板型ブラシである。                                                                                  
【発明の効果】
【０００９】
以上のとおり、この発明の円板型ブラシによれば、従前までのものとは違い、上記したとおりの固有の特徴ある構成から、従来型の植毛面に同心円状に複数のブラシ毛列を配列してなるものでは、中心がわから遠心がわに掛けて同心状の層をなすよう各ブラシ毛列の接触圧力に強弱差が生じ、その結果として、被接触物表面に多重同心円層状の接触跡を残してしまうものであったが、当該発明の各渦条単位ブラシ毛列のブラシ毛は、回転中心寄りから遠心がわに向けて次第に曲率半径を大きくする仮想渦状曲線上に沿って植設してあるから、被接触物表面に同心円状の接触跡を残すことなく、均質且つ効率的に研磨、研削、洗浄、清掃、バリ取り、塗装またはブラッシングなどの様々な作業に利用可能である上に、同一形状渦条単位ブラシ毛列の複数条を、互いに該植毛面中心回りに均衡する開き角度をもって周回りに均等位相状配置としてなるから、１条の渦条単位ブラシ毛列だけを植設したものに比較し、１回転毎のブラシ毛の接触跡を格段に均質なものとすることができ、しかも各々が偏心配置としてなる各渦条単位ブラシ毛列同士が、互いの被接触物表面との接触摩擦力を植毛面中心にて均衡するよう相殺し合うものとなり、回転する円板型ブラシを作業者が安定且つ容易にコントロールできるようになり、特別の熟練操作を要さずとも、より高い作業効率および作業品質を達成可能なものとなし、さらには、ブラシ毛の偏摩耗を抑えて耐久性を格段に高めたものとすることができるという秀れた特徴が得られるものである。
【００１０】
加えて、半径方向に隣接する各渦条単位ブラシ毛列間に渦線状間隙を所定幅確保するようにしてあることから、当該円板型ブラシの回転に伴い、被接触物表面に接触する各渦条単位ブラシ毛列が掻き集めた粉塵や塵埃などを、それら粉塵や塵埃など自体に働く遠心力と、各渦条単位ブラシ毛列の渦状曲線上配列形状による遠心方向への押し出し誘導力とにより、該渦線状間隙に沿って当該円板型ブラシの遠心方向、外がわに向けて自動的に次々と排出するものとなり、従来型の同心円状のブラシ毛列のものでは得ることのできなかった確実な目詰まり防止効果を達成することができるという極めて大きな効果がもたらされる。
【００１１】
さらに、この発明の円板型ブラシは、植毛面中心回りに均衡する開き角度をもって周回りに均等位相状配置とするよう、複数本の仮想渦状曲線上に沿って所定毛丈および所定毛幅にブラシ毛を植設したものであるから、従来型の同心円状の複数本のブラシ毛列を有するものや、１条の渦条ブラシ毛列を有するものに比較し、ブラシ毛の植設数を大幅削減しても、従来型のものと同等以上の接触性能を達成可能とするものとなり、例えば、ブラシ毛の植設数を２０％減少するようにした場合であっても、研磨や研削、洗浄、清掃、バリ取り、塗装、またはブラッシングなどの各種作業効率を同等以上に維持することができるという特有の性能を発揮可能であり、特に、製造過程にあっては、従来型の回転ブラシと同程度の性能を確保するブラシを製造する場合に、ブラシ台植毛面に穿設する植毛孔数、および、手作業による植毛作業の工数を、共に２０％以上削減して生産コストを大幅削減し、従来型同等品に比較して格段に廉価なものとして市場提供できるという秀れた効果を発揮できる。
【００１２】
そして、ブラシ台の外径を刈払機の回転刃物直径以下に設定すると共に、その接続部を刈払機の回転刃用取付け部に装着・緊締可能な形状および寸法に設定してなるものは、通常は除草作業専用のものとして広く利用されている刈払機を、建築物外壁や屋根、舗装路面などの洗浄作業に利用できるものとし、従前までであればデッキブラシなどを用いて人力に頼らざるをえなかった洗浄作業を格段に効率化して労働負担を大幅に軽減できるものとなし、特に、原子力発電所の事故後の広大な地域の除染作業を人海戦術にて実施するような場合にも、一般に広く市販されている刈払機を洗浄機械として利用可能とすることができるようにし、遅々として進まない除染作業を一気に加速することができるという大きな効果を奏することとなる。
【００１３】
また、ブラシ台の接続部が、インパクトレンチ用のソケット差込み部形状、電動ドライバー用のビット差込み部形状、および／または電動ドリルのチャック用の取付け部形状としてなるものは、市販の様々な工具類に簡便に組み込み可能とし、様々な工場作業や日常的作業などに広く普及している既存の工具類にも簡単に組み合わせることができるものとするから、特に専用工具類を必要とせずに、誰でも簡便に低コストで利用可能なものとすることができるという利点が得られるものとなる。                                          
【発明を実施するための最良の形態】
【００１４】
上記したとおりの構成からなるこの発明の実施に際し、その最良もしくは望ましい形態について説明を加えることにする。
ブラシ台は、何れかの回転駆動装置の回転部に装着可能であり、回転中心に垂直、且つ、回転駆動装置がわとは反対がわとなる仮想平面（より具体的には植毛面）に渡って、適宜材質および形状のブラシ毛を突設状に一体化可能とする機能を分担し、ブラシ毛を被接触物に当接・回転させた場合にも、その当接圧力に抗して、平板形状を維持可能な剛性を確保できる素材製、および形状、寸法に設定したものとしなければならず、後述する実施例にも示してあるように、所定外径円板体の中央および／または背面に、回転駆動装置の回転部に対して同心上に接続可能な接続部を有し、該背面とは反対がわを植毛面とすべきであるが、後述する渦条単位ブラシ毛列の複数条を設ける範囲以外の部分に、溝や孔、貫通状の長孔や長溝などを設けたものとすることができ、また、その外径を刈払機の回転刃物直径以下に設定すると共に、その接続部を刈払機の回転刃用取付け部に装着・緊締可能な形状および寸法に設定してなるものとしたり、接続部がインパクトレンチ用のソケット差込み部形状、電動ドライバー用のビット差込み部形状、および／または電動ドリルのチャック用の取付け部形状としてなるものとしたりすることができる。
【００１５】
仮想渦状曲線は、ブラシ台植毛面にブラシ毛の配設位置を想定し、植設する目安や目標となる機能を担い、植毛面の円形中心寄りの適所から遠心がわに向けて、時計回りか、または反時計回りかの何れか一方向に向け、次第に曲率半径を大きくするよう設定したものとしなければならず、同一のブラシ台植毛面に設ける複数条の渦条単位ブラシ毛列は、互いに同じ仮想渦状曲線からなり、植毛面中心回りに均衡する開き角度をもって周回りに均等位相状配置としたものとすべきである。
【００１６】
渦条単位ブラシ毛列は、ブラシ台の回転に伴い、渦巻き状に配列したブラシ毛を対象物表面に接触可能とする機能を分担し、ブラシ台植毛面に設定した仮想渦状曲線上に沿って所定毛丈および所定毛幅のブラシ毛を植設した１条ブラシ毛列か、または、複数条平行ブラシ毛列とするかの何れか一方としてなるものとしなければならず、同一形状の渦条単位ブラシ毛列の複数条を、互いに該植毛面中心回りに均衡する開き角度をもって周回りに均等位相状配置としてなるものとすべきであり、該１条ブラシ毛列は、所定ピッチ間隔をもって１列にブラシ毛を植設してなるものであり、複数条平行ブラシ毛列は、ブラシ毛を副列状に植設してなるものであり、例えば、１条ブラシ毛列を２列以上平行状に植設してなるものや、複数のブラシ毛束を近接して植設したブラシ毛群を仮想渦状曲線に沿って所定ピッチ間隔で植設してなるものなどとすることができる。
【００１７】
ブラシ毛は、ブラシ台植毛面に一体となって回転し、被接触物に接して摩擦、研磨、研削、洗浄、ブラッシング、塗装などを可能とするという機能を分担し、より具体的には、利用目的に応じて、合成樹脂製や天然繊維製、金属製などの線材や繊維素材を束ねたもの、軟質または硬質合成樹脂製や発泡合成樹脂製などの柱状、ブロック状、レール状、柱状体または線状材の束など、様々な素材製のものとすることができ、必ずしも植毛孔に植設してなるものとする必要はなく、例えば、ブラシ台の成型と同時に、一体化してなるものや、熔着や接着などによって一体化してなるものとすることができる外、仮想渦状曲線に沿って延びるレール状に連続一体化してなるスポンジや発泡ウレタンなどからなるものとすることが可能である。
【００１８】
植毛孔は、ブラシ台植毛面の仮想渦状曲線に沿ってブラシ毛を植設可能とする機能を分担し、植毛面の円形中心寄りの適所から遠心がわに向け、時計回りか、または反時計回りかの何れか一方向に向け、次第に曲率半径を大きくするよう設定した仮想渦状曲線上に沿って、所定ピッチを隔てて複数穿設してなるものとしなければならず、ブラシ台の板厚を貫通せず、抜け止めを施して植毛可能なものとすることができる外、後述する実施例にも示すように、ブラシ台の板厚を貫通し、植毛面がわの開口直径が大きく、それとは反対がわの背面がわの開口直径をそれよりも小さく設定してブラシ毛用緊締孔とし、同背面がわの仮想渦状曲線上に所定間隔で連なる複数個のブラシ毛用緊締孔（植毛孔）上に沿って緊締用ワイヤーを配し、同背面がわブラシ毛用緊締孔から植毛面植毛孔に通した緊締用ワイヤー中途部で、植毛面がわから同植毛孔に差し込んだブラシ毛束のＶ字状やＵ字状などに折曲した中途部を結束状に緊締・固定し、仮想渦状曲線に倣って順次連続的にブラシ毛束を結束するよう植設可能なものとすることができ、さらにまた、ブラシ台植毛面の仮想渦状曲線上に沿って、所定ピッチを隔てて複数穿設してなる１条孔列か、または複数条平行孔列とするかの何れか一方とすることが可能である。
【００１９】
渦条単位孔列は、仮想渦状曲線上に沿って、所定ピッチを隔てて複数の植毛孔を穿設してなる１条孔列か、または複数条平行孔列とするかの何れか一方を、一まとまりの単位孔列と認識可能とする機能を担い、後述する実施例に示してあるように、該渦条単位孔列の複数条を、互いに該植毛面中心回りに均衡する開き角度をもって周回りに均等位相状配置とするようにしてなるものとすることができる。
【００２０】
渦線状間隙は、各渦条単位孔列間に間隙を確保し、各植毛孔にブラシ毛を植設した後に、各渦条単位ブラシ毛列間に隙間空間を確保可能として、研磨や研削、洗浄、清掃、塗装、ブラッシングなどに用いた場合に、各渦条単位ブラシ毛列相互間に目詰まりが生じるのを防止可能とする機能を分担するものであり、少なくとも各渦条単位孔列間に、充分な幅寸法の間隔を確保してなるものとしなければならず、各仮想渦状曲線間に略一定幅の渦巻き帯状に連続するよう間隙を確保してなるものとすべきである。
以下では、図面に示すこの発明を代表する実施例と共に、その構造について詳述することとする。                                                                                                            
【図面の簡単な説明】
【００２１】
図面は、この発明の円板型ブラシの技術的思想を具現化した代表的な幾つかの実施例を示すものである。
【図１】ブラシ台の植毛面を示す下面図である。
【図２】円板型ブラシの植毛面を示す下面図である。
【図３】円板型ブラシの半径を縦断化して示す断面図である。
【図４】ブラシ台の植毛面の複数条平行孔列を示す下面図である。
【図５】ブラシ台の植毛面の植毛孔配置を変えた複数条平行孔列を示す下面図である。
【図６】刈払機に組み込んだ円板型ブラシを示す斜視図である。
【図７】円板型ブラシを組み込んだ刈払機の使用状態を示す斜視図である。
【実施例１】
【００２２】
図１ないし図３に示す事例は、円板体２の中央および／または背面２０に、回転駆動装置（９，９０）用の接続部２２を有し、該背面２０とは反対がわを植毛面２１とするブラシ台２を設け、該ブラシ台２植毛面２１には、中心（Ｃ）寄り適所から遠心がわに向けて、次第に曲率半径を大きくするよう設定した仮想渦状曲線３上に沿ってブラシ毛５を植設した１条ブラシ毛列５０としてなる同一形状の渦条単位ブラシ毛列４の複数条を、互いに、該植毛面２１中心（Ｃ）回りに均等位相状配置とすると共に、半径方向に隣接する各渦条単位ブラシ毛列４，４，４間に目詰まり防止用の渦線状間隙８，８を確保してなるものとした、この発明の円板型ブラシにおける代表的な一実施例を示すものである。
【００２３】
それら各図からも明確に把握できるとおり、この発明の円板型ブラシ１は、そのブラシ台２が、外径（Ｄ１）１２５ｍｍ、厚さ（Ｔ）１３ｍｍの合成樹脂製円板体２からなり、背面２０中心（Ｃ）から、それとは反対面となる植毛面２１まで直径（Ａ）１０ｍｍの貫通孔を穿設し、直径４２．５ｍｍの範囲内を刈払機９用接続部２２とし、植毛面２１の接続部２２（直径４２．５ｍｍ）より外がわ近傍から、深さ（ｄ）２．５ｍｍのリム部２３の内径（Ｄ２）１２０ｍｍよりも内がわ近傍までの円環帯状範囲内に、中心寄り適所から遠心がわに、時計回り方向に向けて次第に曲率半径を大きくするよう設定した仮想渦状曲線３上に沿って、中心間ピッチ（Ｐ）９．３４ｍｍの直径（ＢＤ）６．２ｍｍ、深さ（Ｂｄ）８．２ｍｍ、外径間隣接間隙（Ｎ）３．１４ｍｍの植毛孔７を２９個穿設し、渦巻き状の１条孔列７０とした渦条単位孔列６を設け、加えて、同一形状の渦条単位孔列６，６の２本を、同植毛面２１中心（Ｃ）回りに、３６０°／渦条単位列数：３本の均衡する開き角度（α）１２０°をもって周回りに均等位相状配置とすると共に、半径方向に隣接する各渦条単位孔列６，６，６間に目詰まり防止用の渦線状間隙８を所定幅確保したものとした上、各植毛孔７，７，……の中央には夫々、直径（ＷＤ）３ｍｍ、深さ（Ｗｄ）２．３ｍｍのブラシ毛用緊締孔７２を背面２０に開口（貫通）するよう穿設したものである。
【００２４】
図３に示してあるように、当該ブラシ台２植毛面２１の各渦条単位孔列６，６，６植毛孔７，７，……夫々には、直径０．４５〜０．５５ｍｍのステンレス線の複数本を束ねて中央より上下反転Ｕ字状、または上下反転Ｖ字状などに折り曲げるようにし、山折りとなった中央部分を各植毛孔７，７，……底部まで植設状に差し込むように組み合わせると共に、同ブラシ台２背面２０の各緊締孔７２，７２，……から、各渦条単位孔列６，６，６に夫々沿うように配した３本のステンレス製緊締ワイヤー４０，４０，４０の各中途部を、Ｕ字状に掬い上げるように通して各ステンレス線束の山折り部分を引き締め固定し、所定毛丈のブラシ毛５，５，……を植設し、１条ブラシ毛列５０，５０，５０からなる渦条単位ブラシ毛列４、４，４となし、さらに、必要に応じてブラシ台２背面２０の接続部２２からリム内径（Ｄ２）までの円環帯状範囲には、これらリム深さ（ｄ）を埋める厚さ２．５ｍｍのステンレス板製円環帯状カバー（図示せず）を嵌合状に被着し、嵌合構造やボルト・ナットなどの適宜結合構造を有して一体化してなるものとすることができる。                
【実施例２】
【００２５】
図４に示すように、ブラシ台２各渦条単位孔列６，６，６は、夫々１本の渦条単位孔列６が、１本の仮想渦状曲線３を挟む中心（Ｃ）寄りと遠心がわ寄りとの双方に、中心間ピッチ（Ｐ）の植毛孔７，７，……を穿設してなる複数条平行孔列７１からなり、３本の複数条平行孔列７１，７１，７１が、夫々１本の渦条単位孔列６となるものとしてあり、更にまた、図５に示すように、ブラシ台２の各渦条単位孔列６，６，６各複数条平行孔列７１，７１，７１が、夫々仮想渦状曲線３上に沿って４個（またはそれ以外の複数個）を１組とする植毛孔７群を隣接する植毛孔７群同士が、所定の中心間ピッチＰを隔てて渦巻き状に配してなるものとすることができる。
【００２６】
（実施例１の作用・効果）
以上のとおりの構成からなるこの発明の円板型ブラシ１は、図１ないし図３に示すように、渦条単位ブラシ毛列４の３本を、夫々ブラシ台２植毛面２１の中心（Ｃ）回りに開き角度（α）１２０°をもって均等位相状配置とした上、各渦条単位ブラシ毛列４，４，４間に渦線状間隙８，８、８を確保してなるから、接続部２２を介して刈払機（９）やインパクトレンチ、電動ドライバー、電動ドリルなどの回転駆動装置の回転部に適宜装着するようにし、中心（Ｃ）回りに回転駆動して研磨、研削、洗浄、清掃、バリ取り、塗装またはブラッシングなどに使用すると、それによって発生する粉塵や塵埃、洗剤や塗料成分などの被接触物や加工に利用する薬品類成分などが、各渦条単位ブラシ毛列４に沿って次第に遠心がわに排出するよう自動的に誘導し、ブラシ毛５に目詰まりしてしまうのを確実に防止できるようする上、従来型の回転ブラシで発生していた同心円状の接触ムラも解消可能なものとすることができ、しかも１本の渦条単位ブラシ毛列４の植毛孔７の数が２９個であって、３本の合計は８７個であり、従来型同外径の同心円状に植毛孔を配列したものに比較すると、約２０％の孔数を削減することができ、当該円板型ブラシ１の製造に際し、一般にブラシ毛５を植設する工程は、これまでどおり手作業によって行うものとしても、従来品に比較して植毛作業の効率を２０％削減することができ、しかも研磨や研削、洗浄、清掃、バリ取り、塗装またはブラッシングなどの効果の点で秀でたものとなっても決して劣るようなものとなることはないという大きな利点が得られる。
【００２７】
（実施例２の作用・効果）
図４および図５に示したように、各渦条単位ブラシ毛列４，４，４を夫々複数条平行ブラシ毛列５１からなるものとした場合にも、従来品のような同心円状の接触ムラを完全に解消し得る上に、目詰まりを確実に防止できるものとすることができ、さらに、図６および図７に示すように、当該円板型ブラシ１を、刈払機９（回転駆動装置）の回転部９０に組み込み、コンクリート製やアスファルト製などの舗装路面などを洗浄使用するようにしても、従来型の回転ブラシを利用した場合に比較して一段とムラなく、洗い残しなく清掃可能となることから、例えば原子力発電所の事故に伴う除染作業の作業効率を、これまでに無く格段に高めることができるという秀れた効果を発揮できるものとなる。
【００２８】
（結  び）
叙述の如く、この発明の円板型ブラシは、その新規な構成によって所期の目的を遍く達成可能とするものであり、しかも製造も容易で、従前からの回転ブラシ技術に比較して生産効率を大幅に高め、軽量且つ低廉化して遥かに経済的なものとすることができる上、円板型ブラシを利用した研磨や洗浄などの様々な作業品質および作業効率を格段に高め、それらの作業の均質化と効率化とを高水準にて達成可能とし、利用者の労働負担を格段に改善し得るものとなることから、従前までは、研磨や洗浄などの作業跡が不均質でムラのあるものとなってしまって効率的な作業の妨げとなっていたが、このような弊害を解消できずにいた各種製造業界および清掃業界はもとより、より効率的且つ簡便な研磨や洗浄を実現できる回転ブラシの提供を希望していた一般家庭や、それらニーズに応え切れていなかったホームセンター業界においても高く評価され、広範に渡って利用、普及していくものになると予想される。                                                              
【符号の説明】
【００２９】
１      円板型ブラシ
２      ブラシ台（円板体）
２０    同  ブラシ台の背面
２１    同  ブラシ台の植毛面
２２    同  接続部
２３    同  リム部
３      仮想渦状曲線
４      渦条単位ブラシ毛列
４０    同  緊締ワイヤー
５      ブラシ毛
５０    同  １条ブラシ毛列
５１    同  複数条平行ブラシ毛列
６      渦条単位孔列
７      植毛孔
７０    同  １条孔列
７１    同  複数条平行孔列
７２    同  ブラシ毛用緊締孔
８      渦線状間隙
９      刈払機（回転駆動装置）
９０    同  回転部
（Ｃ）      ブラシ台の中心
（Ａ）      接続部２２直径
（Ｄ１）      ブラシ台２外径
（Ｄ２）      ブラシ台２リム２３内径
（ｄ）      リム２３深さ
（Ｔ）      ブラシ台２厚さ
（α）      開き角度
（Ｐ）      植毛孔７の中心間ピッチ
（ＢＤ）      植毛孔７直径
（Ｂｄ）      植毛孔７深さ
（Ｎ）      植毛孔７外径間隣接間隙
（ＷＤ）      緊締孔７２直径
（Ｗｄ）      緊締孔７２深さ                                                            
【図１】
0005899034.tif 000002
【図２】
0005899034.tif 000003
【図３】
0005899034.tif 000004
【図４】
0005899034.tif 000005
【図５】
0005899034.tif 000006
【図６】
0005899034.tif 000007
【図７】
0005899034.tif 000008